(57)【要約】【課題】効率良く飛翔害虫を捕獲することができるとともに、捕虫紙を捕虫器にセットする場合に簡単に行うことができ、しかも、使用後の処理も簡便に行うことのできる捕虫紙を提供する。【解決手段】捕虫器ｈの発光手段ｔにより誘引される飛翔害虫ｓを捕獲する捕虫紙１であって、矩形の台紙の表面に粘着層２が設けられているとともに、二つ折り可能に構成されていることを特徴とする捕虫紙１。【選択図】図１
2010136630.tif 000002
【特許請求の範囲】
【請求項１】
捕虫器の発光手段により誘引される飛翔害虫を捕獲する捕虫紙であって、
矩形の台紙の表面に粘着層が設けられているとともに、二つ折り可能に構成されている事を特徴とする捕虫紙。
【請求項２】
上記台紙は、長方形状に形成されるとともに、長手方向に延びる中心線を折り曲げ線とすることにより二つ折り可能に構成されていることを特徴とする請求項１に記載の捕虫紙。
【請求項３】
上記台紙には、上記粘着層を覆うことが可能な矩形状の透明シートが設けられており、この透明シートの上記長手方向に沿う一方の縁部は、上記台紙の裏面の長手方向に延在する一端部に貼着されていることを特徴とする請求項１または請求項２のいずれかに記載の捕虫紙。
【請求項４】
上記台紙は、それぞれ細長矩形状に形成された第１の台紙と第２の台紙とを有し、且つこれらの第１の台紙と第２の台紙とが長手方向に延在する一端部同士が間隔をあけて併行に配設されて、接合手段を介して一体的に設けられていることにより、二つ折り可能に構成されていることを特徴とする請求項１に記載の捕虫紙。
【請求項５】
上記第１の台紙と第２の台紙には、各々上記粘着層を覆うことが可能な細長矩形状の第１および第２の透明シートが設けられており、これらの第１および第２の透明シートの上記長手方向に沿う一方の縁部は、それぞれ上記第１の台紙と第２の台紙の裏面の長手方向に延在する他端部に貼着されていることを特徴とする請求項１または請求項４のいずれかに記載の捕虫紙。
【請求項６】
上記透明シートの上記一方の縁部を除く他の縁部には、当該縁部に沿って帯状の補強部材が設けられていることを特徴とする請求項１〜５のいずれかに記載の捕虫紙。
【請求項７】
上記粘着層は、透明樹脂によって形成されており、上記台紙の表面には、飛翔害虫をカウントするための区画がラインによって形成されて、この台紙のラインが形成された領域の上に上記粘着層が設けられていることを特徴とする請求項１〜６のいずれかに記載の捕虫紙。
【発明の詳細な説明】
【技術分野】
【０００１】
本発明は、飛翔害虫を捕獲する捕虫器に、二つ折りにした状態で挿入して使用する捕虫紙に関するものである。
【背景技術】
【０００２】
一般的に捕虫紙は、単体又は捕虫器に取り付けて使用される。この捕虫紙は、片面に粘着層が形成されて、ハエなどの飛翔害虫を粘着層によって捕獲するようになっている。
【０００３】
ところで、捕虫器に捕虫紙を取り付けて、飛翔害虫を捕獲する方法は周知の技術である。例えば、捕虫器内にブラックライトなどの誘引ランプを設けて、そのライトに誘引された飛翔害虫を、粘着層を有する捕虫紙によって捕獲する方法が知られている。また、近年、調理施設のある食品工場においては、使用済みの捕虫紙から捕獲されている害虫の種類や数を調査するモニタリングを外部機関に依頼して、害虫による食品への悪影響を把握することにより、諸種の対策を講じるようになっている。
【０００４】
ところが、このような捕虫器に使用される捕虫紙は、飛翔害虫を捕獲するための粘着層を台紙の片面にしか形成していないために、飛翔害虫を捕獲する量が自ずと限られてしまい、捕獲量が少ないという問題点がある。また、この捕虫紙を交換する際などは、粘着層が露出した状態のまま行うので、手や衣服に粘着物質が付着するなど問題点がある。
【０００５】
さらに、粘着層に溜まった飛翔害虫をゴミとして処理する場合には、新しい捕虫紙に交換することが求められるが、その際、捕虫紙の粘着層が露出しているため、害虫の死骸に触れてしまうことがあるとともに、その無惨な死骸を目のあたりにして、衛生的にも精神的にも良くないという問題点もある。
【０００６】
また、調理施設のある食品工場が、外部機関に依頼するモニタリングにおいては、飛翔害虫を正確に調査するために、粘着層に捕獲した飛翔害虫を捕獲した状態のまま搬送する必要がある。そのため、別に透明なシートを用意して、このシートを捕虫紙の粘着層に被せる必要があり、作業に手間がかかるという問題点もある。
【発明の開示】
【発明が解決しようとする課題】
【０００７】
本発明は、上記従来技術の問題点を解決すべくなされたもので、効率良く飛翔害虫を捕獲することができるとともに、捕虫紙を捕虫器にセットする場合に簡単に行うことができ、しかも、使用後の処理も簡便に行うことのできる捕虫紙を提供するものである。
【課題を解決するための手段】
【０００８】
上記課題を解決するために、請求項１に記載の発明は、捕虫器の発光手段により誘引される飛翔害虫を捕獲する捕虫紙であって、矩形の台紙の表面に粘着層が設けられているとともに、二つ折り可能に構成されていることを特徴とするものである。
【０００９】
また、請求項２に記載の発明は、上記台紙が長方形状に形成されるとともに、長手方向に延びる中心線を折り曲げ線とすることにより二つ折り可能に構成されていることを特徴とするものである。
【００１０】
さらに、請求項３に記載の発明は、上記台紙に、上記粘着層を覆うことが可能な矩形状の透明シートが設けられており、この透明シートの上記長手方向に沿う一方の縁部は、上記台紙の裏面の長手方向に延在する一端部に貼着されていることを特徴とするものである。
【００１１】
そして、請求項４に記載の本発明は、上記台紙が、それぞれ細長矩形状に形成された第１の台紙と第２の台紙とを有し、かつこれらの第１の台紙と第２の台紙とが長手方向に延在する一端部同士が間隔をあけて平行に配設されて、接合手段を介して一体的に設けられていることにより、二つ折り可能に構成されていることを特徴とするものである。
【００１２】
また、請求項５に記載の本発明は、上記第１の台紙と第２の台紙とに、各々上記粘着層を覆うことが可能な細長矩形状の第１および第２の透明シートが設けられており、これら第１および第２の透明シートの上記長手方向に沿う一方の縁部は、それぞれ上記第１の台紙と第２の台紙の裏面の長手方向に延在する他端部に貼着されていることを特徴とするものである。
【００１３】
さらに、請求項６に記載の本発明は、上記透明シートの上記一方の縁部除く他の縁部に、当該縁部に沿って帯状の補強部材が設けられていることを特徴とするものである。
【００１４】
さらに、請求項７に記載の本発明は、上記粘着層が、透明樹脂によって形成されており、上記台紙の表面には、飛翔害虫をカウントするための区画がラインによって形成されて、この台紙のラインが形成された領域の上に上記粘着層が設けられていることを特徴とするものである。
【発明の効果】
【００１５】
請求項１〜７のいずれかに記載の本発明によれば、粘着層が設けられている台紙を、二つ折り可能に構成することにより、コンパクト化することができるとともに、捕虫紙を挿入して使用する上記捕虫器もコンパクト化することできる。また、上記捕虫紙の上記粘着層を表側にして二つ折りすることにより、上記捕虫紙の上記粘着層が表側の両面に露出した状態となるために、コンパクト化された上記捕虫紙であっても、効率的に飛翔害虫を捕獲することができ、上記飛翔害虫の捕獲量が増大する。
【００１６】
また、上記飛翔害虫を捕獲した後に、上記捕虫紙を上記捕虫器から抜き出して、上記粘着層を互いに向き合うように二つ折りにすることにより、上記粘着層や上記飛翔害虫の死骸に触れることなく簡便に後処理を行うことができる。
【００１７】
さらに、上記捕虫紙を販売する際には、上記捕虫紙を二つ折りにして包装することができるので、包装に必要なパッケージも小型に形成することができるとともに、交換用の上記捕虫紙を保管する際にも場所を取ることがない。また、上記捕虫紙を製造する際に、上記台紙の片面のみに粘着層を形成するだけでよく、作業性及び生産性が良い。
【００１８】
また、請求項２に記載の発明によれば、上記台紙を長方形状に形成するとともに、長手方向に延びる中心線を折り曲げ線とすることにより二つ折り可能に構成しているために、上記台紙９を上記中心線において自在に曲げることができる。このため、上記捕虫器に挿入して使用する際に、上記捕虫紙の上記粘着層が表側の両面に露出する状態となるように折り畳むことができる。また、上記折り曲げ線に従って上記台紙を折り畳むことにより、上記台紙を上記捕虫器の差し込み口に容易に挿入することが可能な寸法にすることができる。
【００１９】
一方請求項３に記載の発明によれば、上記台紙の裏面に、上記粘着層を覆うことが可能な長方形状の透明シートを設けており、この透明シートの上記長手方向に沿う一方の縁部は、上記台紙の裏面の長手方向に延在する一端部に貼着しているために、上記捕虫紙を二つ折りにして上記捕虫器の挿入する際に、上記透明シートが上記捕虫器の差し込み口及び差し込みレールに引っ掛かることが無く、上記捕虫紙を容易に捕虫器に装着することができる。また、使用後に、裏面に貼着された上記透明シートを表面に引き回して、上記粘着層の全面を覆うことにより、上記粘着層に捕獲された上記飛翔害虫の死骸を、上記粘着層ごと覆うことができる。このため、捕獲した上記飛翔害虫の死骸が上記粘着層から剥がれ落ちることなく処理することができるとともに、捕獲した上記飛翔害虫の数や種類などを調査するモニタリングを行う際にも、別のシートを用意して捕獲した上記飛翔害虫を覆う手間が省けて、捕獲した状態のまま即座に搬送することができる。
【００２０】
そして、請求項４に記載の本発明によれば、上記台紙は、上記第１の台紙と第２の台紙とを同じ寸法の長細矩形状に形成して、それぞれの一端部同士が間隔をおいて接合手段により一体化されているために、上記第１の台紙と第２の台紙を、接合部において自在に折り曲げることができ、上記捕虫器に挿入して使用する際に、上記捕虫紙の粘着層が表側の両面に露出する状態となるように折り畳むことができる。さらに、上記第１の台紙及び第２の台紙は、同一形状で形成することができるので、上記捕虫紙を製造するときには、一つの形状の台紙を製造するだけでよく、製造コストを低減することができる。
【００２１】
そして、請求項５に記載の本発明によれば、上記第１の台紙及び第２の台紙の裏面に、それ各々上記粘着層覆うことが可能な細長矩形状の第１および第２の透明シートを設けているために、上記台紙を二つ折りにして上記捕虫器の挿入する際に、上記透明シートが上記捕虫器の差し込み口及び差し込みレールに引っ掛かることが無く、上記捕虫紙を容易に上記捕虫器に装着することができる。また、使用後に、裏面に貼着されたそれぞれの上記透明シートを表面に引き回して、各々上記粘着層の全面を覆うことにより、上記粘着層に捕獲された上記飛翔害虫の死骸を、上記粘着層ごと覆うことができる。これにより、捕獲した上記飛翔害虫の死骸が上記粘着層から剥がれ落ちることなく処理することができるとともに、捕獲した上記飛翔害虫の数や種類などを調査するモニタリングを行う際にも、別のシートを用意して捕獲した上記飛翔害虫を覆う手間が省けて、捕獲した状態のまま即座に搬送することができる。
【００２２】
さらに、請求項６に記載の本発明によれば、上記透明シートの上記一方の縁部を除く他の縁部に沿って帯状の補強部材を設けているために、上記透明シートが縒れることが無く、容易にかつ確実に上記台紙を覆うことができる。また、上記保証部材は持ち手となる機能も有するために、手が粘着層に触れることが無く、衛生的に上記台紙を覆うことができる。
【００２３】
そして、請求項７に記載の本発明によれば、上記粘着層を透明樹脂により形成することによって、上記飛翔害虫の種類や数を調査するモニタリングのための格子状の上記区画ラインを台紙に直接形成することができる。また、上記区画ラインが、上記粘着層の下に形成されていることにより、上記粘着層が熱や空気により変形したとしも、上記区画ラインが歪むことがなく、上記飛翔害虫の種類や数を調査するモニタリングを効率良く行うことができる。
【発明を実施するための最良の形態】
【００２４】
（第１実施形態）
図１〜４は、本発明の捕虫紙１の第１実施形態を示すものである。図３（ａ）に示すように、この捕虫紙１を取り付ける捕虫器ｈには、飛翔害虫を誘引する為の発光手段ｔが設けられている。そして、この捕虫紙１は、図３（ｂ）に示すように、捕虫器ｈの側面の差し込み口ｒより挿入して、差し込みレールｙを介して取り付けられる構造のものである。
【００２５】
図１（ａ）及び図２（ａ）に示すように、捕虫紙１は、長方形に形成された台紙９を有しており、この台紙９の表面中央部には、それぞれ捕獲した飛翔害虫の数や種類などを調査するモニタリングのための格子状の区画ライン７が形成されている。この区画ライン７は、台紙９の短手方向に引いた多数本（図では１１本）の横ラインによって構成されており、この横ラインが、等間隔に引かれることによって、枠内の面積がそれぞれ同一になるように形成されている。
【００２６】
また、この区画ライン７を覆うように、ポリブデン系の透明な粘着層２が形成されている。さらに、台紙９に形成された粘着層２の表面には、剥離紙８が粘着層２の全面を覆うように設けられている。
【００２７】
そして、台紙９は、長手方向に延びる中心線を折り曲げ線１０とすることにより二つ折り可能に形成されている。
【００２８】
また、図１（ｂ）及び図２（ｂ）に示すように、台紙９の裏面には、粘着層２の全面を覆う大きさの透明シート４が設けられており、この透明シート４の長手方向に延在する一端部１３が台紙９の一端部１１に貼着されている。
【００２９】
ここで、透明シート４は、その長手方向に延在する一端部１３が、台紙９の裏面の一端部１１の幅５ｍｍ程度の糊代に塗布された接着剤により貼着されている。これにより、台紙９の表面に設けられ粘着層２全面を覆うためには、透明シート４の短手方向の幅を、透明シート４の糊代の接着剤に貼着された部分と、当該部分と透明シート４が重なり合う部分とを合わせた分だけ、台紙９の短手方向の幅より長く形成する必要があることから、透明シート４の短手方向の幅は、台紙９に比べて１０ｍｍ程度長く形成されている。
【００３０】
さらに、透明シート４の一端部１３を除く他の縁部には、当該縁部に沿って、５ｍｍ程度の幅を有するとともに、１ｍｍ程度の厚さを有する帯状の厚紙により形成された補強部材１２が設けられている。なお、補強部材１２を、可撓性を有する合成樹脂または金属により形成することも可能であるが、上記合成樹脂や金属に比べ上記厚紙の方が安価であるために、上記厚紙により補強部材１２を形成するのが好ましい。
【００３１】
以上の構成からなる捕虫紙１を、捕虫器ｈに挿入して使用するには、まず図４（ａ）に示すように、台紙９の粘着層２の上面に覆われている剥離紙８を剥がして、台紙９の粘着層２が表面に露出するように、台紙９を折り曲げ線１０に従って折り曲げる。この際、透明シート４が台紙９から１０ｍｍ程度突出していることから、透明シート４が差し込み口ｒおよび差し込みレールｙに引っ掛かるために、透明シート４の他端部１４を裏面の折り曲げ線１０に合わせて、透明シート４を折り曲げておく。
【００３２】
さらに、図４（ｂ）に示すように、二つ折りにした捕虫紙１を捕虫器ｈの側面の差し込み口ｒより、捕虫紙１の短手方向の端部より挿入し、差し込みレールｙに沿って捕虫器ｈにセットする。
【００３３】
そして、捕虫器ｈの発光手段ｔにより誘引された飛翔害虫（図中では符号ｓで示す飛翔害虫）が、時間の経過とともに捕虫紙１の粘着層２に捕獲される。次いで、特定の時間が経過した後に、捕虫紙１を捕虫器ｈの差し込み口ｒより、差し込みレールｙに沿って引き出すとともに、二つ折りにしていた捕虫紙１を開く。
【００３４】
次いで、図４（ｃ）に示すように、台紙９の裏面から、透明シート４の他端部１４を台紙９の表面の一端部１１に向けて引き回す。そして、透明シート４の補強部材１２を持って、台紙９の一端部１１に透明シート４の他端部１４を合わせることにより、飛翔害虫ｓが捕獲されている粘着層２の全面を透明シート４で覆う。このとき、透明シート４は、粘着層２に貼着されるので、別体の貼着手段を必要としない。
【００３５】
そして、図４（ｄ）に示すように、透明シート４に覆われた粘着層２が向き合うように、捕虫紙１の折り曲げ線１０に従って二つ折りにして、飛翔害虫ｓを調査するためのモニタリング用に搬送するか、またはそのままゴミ箱等に廃棄する。
【００３６】
（第２実施形態）
次に、本発明の捕虫紙１の第２実施形態をについて図５〜７に基づいて説明する。なお、捕虫器ｈや、捕虫紙１の構成など第１実施形態と同一の構成については、同一符号を用いることにより説明を省略する。
【００３７】
本実施形態では、図５（ａ）および図６（ａ）に示すように、捕虫紙１は、細長矩形状に形成された第１の台紙１ａと第２の台紙１ｂを有しており、これらの台紙１ａ、１ｂの表面中央部には、それぞれ捕獲した飛翔害虫の数や種類などを調査するモニタリングのための格子状の区画ライン７が形成されている。この区画ライン７は、第１の台紙１ａ及び第２の台紙１ｂの長手方向に引いた数本（図では１本）の縦ラインと、短手方向に引いた多数本（図では５本）の横ラインによって構成されており、この縦ラインと横ラインが、それぞれ等間隔に引かれることによって、枠内の面積がそれぞれ同一になるように形成されている。
【００３８】
また、この区画ライン７を覆うように、ポリブデン系の透明な粘着層２が形成されている。さらに、第１の台紙１ａ及び第２の台紙１ｂに形成された粘着層２の表面には、剥離紙８が粘着層２の全面を覆うように設けられている。
【００３９】
そして、図５（ｂ）及び図６（ｂ）に示すように、第１の台紙１ａおよび第２の台紙１ｂは、長手方向に延在する一端部５ａ，５ｂが平行に間隔をおいて配設されており、第１の台紙１ａの裏面の一端部５ａには、接着テープ（接合手段）ｇの一端部が長手方向に延在して貼着されている。さらに、この接着テープｇの他端部に、第２の台紙１ｂの裏面の他端部５ｂが貼着されている。これにより、第１の台紙１ａと第２の台紙１ｂは、一体的に形成されるとともに、第１の台紙１ａと第２の台紙１ｂの間の接着テープｇによる接合部３によって、二つ折り可能に形成されている。
【００４０】
また、第１の台紙１ａおよび第２の台紙１ｂの裏面には、それぞれの粘着層２の全面を覆う大きさの第１の透明シート１５および第２の透明シート１６が設けられており、これらの透明シート１５、１６は、それぞれ長手方向に延在する一端部１７ａ，１７ｂが第１の台紙１ａと第２の台紙１ｂの他端部６ａ、６ｂに貼着されている。
【００４１】
この際、それぞれ透明シート１５、１６の長手方向に延在する一端部１７ａ、１７ｂが、各々台紙１ａ、１ｂの他端部６ａ、６ｂの幅５ｍｍ程度の糊代に塗布された接着剤により貼着されている。このため、各々台紙１ａ、１ｂの表面に設けられた粘着層２全面を覆うためには、それぞれの透明シート１５、１６の短手方向の幅を、それぞれ透明シート１５、１６の糊代の接着剤に貼着された部分と、当該部分と透明シート４が重なり合う部分とを合わせた分だけ、台紙９の短手方向の幅より長く形成する必要があることから、透明シート１５、１６の短手方向の幅は、それぞれの台紙６ａ、６ｂに比べて１０ｍｍ程度長く形成されている。
【００４２】
さらに、それぞれの透明シート１５、１６の一端部１７ａ、１７ｂを除く他の縁部には、当該縁部沿って、５ｍｍ程度の幅を有するとともに、１ｍｍ程度の厚さを有する帯状の厚紙により形成された補強部材１２が設けられている。なお、補強部材１２を、可撓性を有する合成樹脂または金属により形成することも可能であるが、上記合成樹脂や金属に比べ上記厚紙の方が安価であるために、上記厚紙により補強部材１２を形成するのが好ましい。
【００４３】
以上の構成からなる捕虫紙１を、捕虫器ｈに挿入して使用するには、図７（ａ）に示すように、第１の台紙１ａ及び第２の台紙１ｂの粘着層２の上面に覆われている剥離紙８を剥がして、第１の台紙１ａ及び第２の台紙１ｂの粘着層２が、表面に露出するように接合部３で折り曲げる。この際、透明シート１５、１６の他端部１８ａ、１８ｂが、第１の台紙１ａおよび第２の台紙１ｂの裏面の接合部３上において、重なり合っていることから、上記台紙１ａ、および第２の台紙１ｂが接合部で折り曲げ難くなるために、透明シート１５，１６の他端部１８ａ、１８ｂを透明シート１５，１６の一端部１７ａ、１７ｂに合わせて、それぞれの透明シート１５，１６を折り曲げておく。
【００４４】
さらに、図７（ｂ）に示すように、二つ折りにした捕虫紙１を捕虫器ｈの側面の差し込み口ｒより、捕虫紙１の短手方向の端部より挿入し、差し込みレールｙに沿って捕虫器ｈにセットする。
【００４５】
そして、捕虫器ｈの発光手段ｔにより誘引された飛翔害虫（図中では符号ｓで示す飛翔害虫）が、時間の経過とともに捕虫紙１の粘着層２に捕獲される。次いで、特定の時間が経過した後に、捕虫紙１を捕虫器ｈの差し込み口ｒより、差し込みレールｙに沿って引き出すとともに、二つ折りにされていた捕虫紙１を開く。
【００４６】
次いで、図７（ｃ）に示すように、第１の台紙１ａ及び第２の台紙１ｂの裏面から、透明シート１５、１６の他端部１８ａ、１８ｂを第１の台紙１ａと第２の台紙１ｂの表面の一端部５ａ、５ｂに向けて引き回す。そして、各々の透明シート１５、１６の補強部材１２を持って、それぞれの台紙１ａ、１ｂの一端部５ａ、５ｂに透明シート１５、１６の他端部１８ａ、１８ｂを合わせることにより、飛翔害虫ｓが捕獲されている粘着層２の全面を透明シート１５、１６で覆う。このとき、透明シート１５、１６は、粘着層２に貼着されるので、別体の貼着手段を必要としない。
【００４７】
そして、図７（ｄ）に示すように、透明シート１５、１６に覆われた粘着層２が向き合うように、捕虫紙１の接合部３を二つ折りにして、飛翔害虫ｓを調査するためのモニタリング用に搬送するか、またはそのままゴミ箱等に廃棄する。
【００４８】
上述の第１及び第２実施形態の捕虫紙１においては、粘着層２が設けられている台紙４、１ａ、１ｂを、二つ折り可能に構成することにより、コンパクト化することができるとともに、捕虫紙１を挿入して使用する捕虫器ｈもコンパクト化することできる。また、捕虫紙１の粘着層２を表側にして二つ折りすることにより、捕虫紙１の粘着層２が表側の両面に露出した状態となるために、コンパクト化された捕虫紙１であっても、効率的に飛翔害虫ｓを捕獲することができ、飛翔害虫ｓの捕獲量が増大する。
【００４９】
また、飛翔害虫ｓを捕獲した後に、捕虫紙１を捕虫器ｈから抜き出して、粘着層２を互いに向き合うように二つ折りにすることにより、粘着層２や飛翔害虫ｓの死骸に触れることなく簡便に後処理を行うことができる。
【００５０】
さらに、捕虫紙１を販売するときにも、捕虫紙１を二つ折りにして包装することができるので、包装に必要なパッケージも小型に形成することができるとともに、交換用の捕虫紙１を保管する場合でも、場所を取ることがない。また、捕虫紙１を製造する際に、台紙９及び台紙１ａ及び１ｂの片面のみに粘着層２を形成するだけでよく、作業性及び生産性が良い。
【００５１】
そして、台紙９、１ａ、１ｂの裏面に、粘着層２を覆うことが可能な透明シート４、１５、１６を設けているために、捕虫紙１を二つ折りにして捕虫器ｈの挿入する際に、透明シート４、１５、１６が捕虫器ｈの差し込み口ｒ及び差し込みレールｙに引っ掛かることが無く、捕虫紙１を容易に捕虫器ｈに装着することができる。また、使用後に、裏面に貼着した透明シート４、１５、１６を表面に引き回して、粘着層２全面を覆うことにより、捕獲された飛翔害虫ｓの死骸を、粘着層２ごと透明シート４、１５、１６で覆うことができる。これにより、捕獲した飛翔害虫ｓの死骸が粘着層２から剥がれ落ちることなく処理することができるとともに、捕獲した飛翔害虫ｓの数や種類などを調査するモニタリングを行う際にも、別のシートを用意して捕獲した飛翔害虫ｓを覆う手間が省けて、捕獲した状態のまま即座に搬送することができる。
【００５２】
また、粘着層２を透明シート４、１５、１６で覆うことにより、捕獲された飛翔害虫ｓを顕微鏡で観察する際に、レンズを飛翔害虫ｓの死骸や粘着物質で汚す心配がない。また、透明シート４、１５、１６で粘着層２を覆う際に、透明シート４、１５、１６を粘着層２にそのまま貼り付けて止めることができるため、簡便に作業を行うことができる。
【００５３】
また、透明シート４、１５、１６の一端部１１、１７ａ、１７ｂを除く他の縁部に、補強部材１２を設けているために、透明シート４、１５、１６が縒れることが無く、容易にかつ確実に台紙９、１ａ、１ｂを覆うことが可能となるとともに、補強部材１２が持ち手となる機能も有するために、手が粘着層２に触れることが無く、衛生的に台紙９、１ａ、１ｂを覆うことができる。
【００５４】
さらに、粘着層２を透明樹脂により形成することによって、飛翔害虫ｓの種類や数を調査するモニタリングのための区画ライン７を台紙９、第１の台紙１ａおよび第２の台紙１ｂに直接形成することができる。また、区画ライン７が、粘着層２の下に形成されていることにより、粘着層２が熱や空気により変形したとしも、区画ライン７が歪むことなく、飛翔害虫ｓの種類や数を調査するモニタリングを効率良く行うことができる。
【００５５】
一方、捕虫紙１を二つ折りにした状態のまま捕虫器ｈに挿入することができるので、捕虫紙１自体の強度を高めることができるとともに、捕虫器ｈから捕虫紙１を出し入れする際に、無理な力が捕虫紙１に掛かったとしても、途中で折れ曲がったりすることがない。
【００５６】
そして、捕虫紙１を捕虫器ｈにセットするときは、捕虫器ｈの側面の差し込み口ｒより、差し込みレールｙを介して挿入するので、捕虫器ｈの枠体を外してセットする必要がなく、捕虫紙１のセットや交換を簡便に行うことができる。
【００５７】
特に、第１実施形態の捕虫紙１においては、台紙９を長方形状に形成するとともに、長手方向に延びる中心線を折り曲げ線１０とすることにより二つ折り可能に構成しているために、上記台紙９を折り曲げ線１０において自在に折り曲げることができる。このため、捕虫器ｈに挿入して使用する際に、捕虫紙１の粘着層２が表側の両面に露出する状態となるように折り畳むことができる。また、折り曲げ線１０を用いて台紙９を折り畳むことにより、台紙９を捕虫器ｈの差し込み口ｒに容易に挿入することが可能な寸法にすることができる。
【００５８】
一方、第２実施形態の捕虫紙１においては、第１の台紙１ａと第２の台紙１ｂをそれぞれ同じ寸法の細長矩形に形成し、それぞれの一端部同士５ａ，５ｂが間隔をおいて接合手段ｇにより一体化されているために、第１の台紙１ａと第２の台紙１ｂを接合部３において自在に折り曲げることができ、捕虫器ｈに挿入して使用する際に、捕虫紙１の粘着層２が表側の両面に露出する状態となるように折り畳むことができる。
【００５９】
また、第１の台紙１ａ及び第２の台紙１ｂは、同一形状で形成することができるので、捕虫紙１を製造するときには、一つの形状の台紙を製造するだけでよく、製造コストを低減することができる。
【図面の簡単な説明】
【００６０】
【図１】本発明に係わる捕虫紙の第１実施形態の構成を示す、（ａ）は平面図、（ｂ）は底面図、（ｃ）は正面図である。
【図２】本発明に係わる捕虫紙の第１実施形態の全体を示す斜視図であり、（ａ）は捕虫紙の表面、（ｂ）は捕虫紙の裏面である。
【図３】本発明に係わる捕虫紙の第１実施形態を捕虫器にセットした状態を示す、（ａ）は正面図、（ｂ）は右側面図である。
【図４】本発明に係わる捕虫紙の第１実施形態を使用する方法を示す説明図である。
【図５】本発明に係わる捕虫紙の第２実施形態の構成を示す、（ａ）は平面図、（ｂ）は底面図、（ｃ）は正面図である。
【図６】本発明に係わる捕虫紙の第２実施形態の全体を示す斜視図であり、（ａ）は捕虫紙の表面、（ｂ）は捕虫紙の裏面である。
【図７】本発明に係わる捕虫紙の第２実施形態を使用する方法を示す説明図である。
【符号の説明】
【００６１】
１  捕虫紙
１ａ  第１の台紙
１ｂ  第２の台紙
２  粘着層
３  接合部
４  透明シート（第１実施形態の透明シート）
５a   一端部（第１台紙１ａの一端部）
５ｂ  一端部（第２台紙１ｂの一端部）
６ａ  他端部（第１台紙１ａの他端部）
６ｂ  他端部（第２台紙１ｂの他端部）
７  ライン
８  剥離紙
９  台紙
１０  折り曲げ線
１１  一端部（台紙の９一端部）
１２  補強部材
１５  第１の透明シート（第２実施形態の第１の台紙に設けた透明シート）
１６  第２の透明シート（第２実施形態の第２の台紙に設けた透明シート）
ｇ  接合手段
ｈ  捕虫器
ｓ  飛翔害虫
ｔ  発光手段
【図１】
2010136630.tif 000003
【図２】
2010136630.tif 000004
【図３】
2010136630.tif 000005
【図４】
2010136630.tif 000006
【図５】
2010136630.tif 000007
【図６】
2010136630.tif 000008
【図７】
2010136630.tif 000009